(57)【特許請求の範囲】
【請求項１】
用紙を一方向に送り出す給紙装置であり、
少なくとも一部が上下方向に移動可能に設けられ、用紙を下方から支持する用紙支持面を有し、用紙が積載される積載部材と、
前記一方向に沿って配置されるとともに、前記積載部材の前記用紙支持面に沿って且つ当該一方向と交差する方向に沿って移動可能に設けられ、当該用紙支持面上の用紙の側辺に突き当てられる突き当て部材と、
前記一方向に沿って配置され、前記用紙支持面上の前記用紙である支持面上用紙を挟み、前記突き当て部材の設置側とは反対側に配置された側壁と、
前記突き当て部材に連動して移動するように設けられ、前記支持面上用紙の一部を上方へ変位させる第１の変位部材と、
前記積載部材の上方に位置し、当該積載部材の上方への移動に伴い上方へ移動する前記支持面上用紙を検知する検知部と、
前記検知部の直下に配置され且つ前記支持面上用紙の下方に配置され、当該支持面上用紙の一部を上方へ変位させる第２の変位部材と、
を備え、
前記第２の変位部材と前記突き当て部材に連動して移動する前記第１の変位部材との間には、弾性部材が設けられ、
前記弾性部材によって、前記第２の変位部材が前記側壁に押し当てられて当該側壁に対して固定され、前記第１の変位部材が前記突き当て部材に押し当てられて当該突き当て部材に対して固定される給紙装置。
【請求項２】
前記突き当て部材に連動して移動する前記第１の変位部材のうちの前記用紙支持面に接触する部分には、当該突き当て部材の移動方向に沿って延びるリブが形成されている請求項１に記載の給紙装置。
【請求項３】
前記第２の変位部材および前記突き当て部材に連動して移動する前記第１の変位部材のうちの少なくとも一方の変位部材には、操作者が前記給紙装置から当該一方の変位部材を取り外す際に指を掛けることが可能な指掛け部が設けられている請求項１に記載の給紙装置。
【請求項４】
用紙を送り出す給紙装置と、当該給紙装置により送り出された用紙への画像形成を行う画像形成手段とを備え、当該給紙装置が請求項１乃至３の何れかに記載の給紙装置により構成された画像形成装置。
【発明の詳細な説明】
【技術分野】
【０００１】
本発明は、給紙装置、画像形成装置、および、変位部材に関する。
【背景技術】
【０００２】
特許文献１には、幅方向の両端の厚さが異なるシートが積載されると、揺動板を、シートの厚い方の端部が他端部よりも低くなるように揺動させ、シート積載部に積載された最上位シートを水平に保持する構成が開示されている。
【先行技術文献】
【特許文献】
【０００３】
【特許文献１】特開２０１５−１２９０４４号公報
【発明の概要】
【発明が解決しようとする課題】
【０００４】
給紙を行うにあたり、用紙束の上面が傾斜していると給紙が不安定となりやすく、この場合、用紙束の一部を上方へ変位させる変位部材を設置し、用紙束の上面を水平に近づけることが好ましい。ここで、一旦設置した変位部材を移動させる場合に、この移動を行いやすいと、変位部材を移動させる際の作業性が向上する。
本発明の目的は、変位部材を直接操作して変位部材の移動を行う場合や、締結部材による締結を解除したうえで変位部材の移動を行う場合に比べ、用紙の一部を上方へ変位させる変位部材を移動させる際の作業性を向上させることにある。
【課題を解決するための手段】
【０００５】
請求項１に記載の発明は、用紙を一方向に送り出す給紙装置であり、少なくとも一部が上下方向に移動可能に設けられ、用紙を下方から支持する用紙支持面を有し、用紙が積載される積載部材と、前記一方向に沿って配置されるとともに、前記積載部材の前記用紙支持面に沿って且つ当該一方向と交差する方向に沿って移動可能に設けられ、当該用紙支持面上の用紙の側辺に突き当てられる突き当て部材と、前記一方向に沿って配置され、前記用紙支持面上の前記用紙である支持面上用紙を挟み、前記突き当て部材の設置側とは反対側に配置された側壁と、前記突き当て部材に連動して移動するように設けられ、前記支持面上用紙の一部を上方へ変位させる第１の変位部材と、前記積載部材の上方に位置し、当該積載部材の上方への移動に伴い上方へ移動する前記支持面上用紙を検知する検知部と、前記検知部の直下に配置され且つ前記支持面上用紙の下方に配置され、当該支持面上用紙の一部を上方へ変位させる第２の変位部材と、を備え、前記第２の変位部材と前記突き当て部材に連動して移動する前記第１の変位部材との間には、弾性部材が設けられ、前記弾性部材によって、前記第２の変位部材が前記側壁に押し当てられて当該側壁に対して固定され、前記第１の変位部材が前記突き当て部材に押し当てられて当該突き当て部材に対して固定される給紙装置である。
請求項２に記載の発明は、前記突き当て部材に連動して移動する前記第１の変位部材のうちの前記用紙支持面に接触する部分には、当該突き当て部材の移動方向に沿って延びるリブが形成されている請求項１に記載の給紙装置である。
請求項３に記載の発明は、前記第２の変位部材および前記突き当て部材に連動して移動する前記第１の変位部材のうちの少なくとも一方の変位部材には、操作者が前記給紙装置から当該一方の変位部材を取り外す際に指を掛けることが可能な指掛け部が設けられている請求項１に記載の給紙装置である。
請求項４に記載の発明は、用紙を送り出す給紙装置と、当該給紙装置により送り出された用紙への画像形成を行う画像形成手段とを備え、当該給紙装置が請求項１乃至３の何れかに記載の給紙装置により構成された画像形成装置である。
【発明の効果】
【０００６】
請求項１の発明によれば、変位部材を直接操作して変位部材の移動を行う場合に比べ、変位部材を移動させる際の作業性を向上できる。
請求項２の発明によれば、変位部材のうちの用紙支持面に接触する部分が平坦面である場合に比べ、変位部材をより円滑に移動させることができる。
請求項３の発明によれば、指掛け部が設けられていない場合に比べ、変位部材の取り外し作業をより行いやすいものにできる。
請求項４の発明によれば、変位部材を直接操作して変位部材の移動を行う画像形成装置や、締結部材による締結を解除したうえで変位部材の移動を行う画像形成装置に比べ、変位部材の移動を行いやすい画像形成装置を提供できる。
【図面の簡単な説明】
【０００７】
【図１】本実施形態の画像形成装置の構成例を示す図である。
【図２】第１給紙装置の斜視図である。
【図３】第１給紙装置を上方から眺めた場合の図である。
【図４】第１変位部材を表面側から眺めた場合の斜視図である。
【図５】第１変位部材を裏面側から眺めた場合の斜視図である。
【図６】第２変位部材を表面側から眺めた場合の斜視図である。
【図７】第２変位部材を裏面側から眺めた場合の斜視図である。
【図８】（Ａ）、（Ｂ）は、図３の矢印ＶＩＩＩ方向から第１変位部材、第２変位部材を眺めた場合の図である。
【図９】サイドガイドを第１側壁側に移動させた状態の第１給紙装置を示した図である。
【図１０】図２の矢印Ｘ方向から第１給紙装置を眺めた場合の図である。
【図１１】第１給紙装置に積載される封筒の構造を示した図である
【図１２】第１変位部材を設置した状態の第１給紙装置を示した図である。
【図１３】封筒が少ない場合の第１給紙装置の状態を示した図である。
【図１４】第１変位部材、第２変位部材を設置した状態の第１給紙装置を示した図である。
【図１５】（Ａ）、（Ｂ）は、第１給紙装置の他の構成例を示した図である。
【図１６】第１給紙装置の他の構成例を示した図であって、図３の矢印ＸＶＩ方向からサイドガイドおよび第１変位部材を眺めた場合の図である。
【図１７】第１給紙装置の他の構成例である。
【図１８】第１変位部材の他の構成例を示した図である。
【発明を実施するための形態】
【０００８】
以下、添付図面を参照して、本発明の実施形態について説明する。
図１は、本実施形態の画像形成装置の構成例を示す図である。
画像形成装置１は、画像形成装置本体１０と、画像形成装置本体１０に用紙Ｐを供給する供給ユニット２０とを備える。
【０００９】
画像形成装置本体１０は、画像形成の対象となる用紙Ｐを搬送するための用紙搬送路Ｒ０と、用紙搬送路Ｒ０に沿って用紙Ｐを搬送する搬送ロール１１，１２と、搬送ロール１１，１２によって搬送されてくる用紙Ｐに画像を形成する画像形成部１３とを備える。
また、画像形成装置本体１０には、上記搬送ロール１１，１２や画像形成部１３の制御を行う制御部１５が設けられている。
画像形成手段の一例としての画像形成部１３は、電子写真方式を用いて、用紙Ｐへの画像形成を行う。なお、画像形成部１３における画像形成は、電子写真方式に限らず、インクジェット方式などの他の方式を用いてもよい。
【００１０】
供給ユニット２０は、用紙Ｐを送り出す第１給紙装置３０、用紙Ｐを送り出す第２給紙装置４０、手差しされた用紙Ｐを送り出す第３給紙装置５０を備える。
また、供給ユニット２０は、第１給紙装置３０、第２給紙装置４０、および第３給紙装置５０から送り出された用紙Ｐを画像形成装置本体１０に搬送する搬送装置６０を備える。
さらに、供給ユニット２０は、第１給紙装置３０、第２給紙装置４０、第３給紙装置５０、搬送装置６０を制御する制御部７０を備える。
【００１１】
第１給紙装置３０、第２給紙装置４０の各々は、装置本体部３１と、装置本体部３１に収容された用紙Ｐを順に送り出す給紙部３２とを備える。
給紙部３２は、積載された用紙Ｐのうちの最上位の用紙Ｐに接触し用紙Ｐを送り出すピックアップロール３２１と、ピックアップロール３２１により送り出された用紙Ｐを一枚ずつ分離して送り出すフィードロール３２２及びリタードロール３２３と、フィードロール３２２及びリタードロール３２３により送り出された用紙Ｐを搬送装置６０に搬送する搬送ロール３２４とを備える。
【００１２】
第３給紙装置５０は、用紙Ｐを下方から支持する支持部５１と、この支持部５１に積載された用紙Ｐを順に供給する給紙部５２とを備えている。
給紙部５２は、上記と同様、最上位の用紙Ｐを送り出すピックアップロール５２１と、ピックアップロール５２１により送り出された用紙Ｐを一枚ずつ分離して送り出すフィードロール５２２及びリタードロール５２３と、フィードロール５２２及びリタードロール５２３により送り出された用紙Ｐを搬送装置６０に搬送する搬送ロール５２４とを備える。
【００１３】
搬送装置６０は、第１給紙装置３０からの用紙Ｐを画像形成装置本体１０に向けて搬送するための第１搬送路Ｒ１と、第２給紙装置４０からの用紙Ｐを画像形成装置本体１０に向けて搬送するための第２搬送路Ｒ２と、第３給紙装置５０からの用紙Ｐを画像形成装置本体１０に向けて搬送するための第３搬送路Ｒ３とを備える。
また、第１搬送路Ｒ１〜第３搬送路Ｒ３を経由して搬送されてきた用紙Ｐを画像形成装置本体１０における用紙搬送路Ｒ０へ搬送する第４搬送路Ｒ４を備える。
また、搬送装置６０は、第１搬送路Ｒ１〜第４搬送路Ｒ４上に、複数の搬送ロール６１を備える。
【００１４】
例えば、第１給紙装置３０に収容された用紙Ｐに画像を形成する場合は、まずピックアップロール３２１により用紙Ｐが取り出される。そして、取り出された用紙Ｐは、フィードロール３２２およびリタードロール３２３により一枚に捌かれる。そして、捌かれた用紙Ｐは、搬送ロール３２４によって搬送装置６０における第１搬送路Ｒ１に送り込まれる。
次いで、用紙Ｐは、搬送ロール６１によって、第１搬送路Ｒ１および第４搬送路Ｒ４に沿って搬送され、画像形成装置本体１０の用紙搬送路Ｒ０へ送り込まれる。
【００１５】
そして、用紙Ｐは、用紙搬送路Ｒ０に沿って搬送された後、画像形成部１３へと送り込まれ、画像形成部１３により、用紙Ｐへの画像形成がなされる。その後、画像形成がなされた用紙Ｐは、画像形成装置本体１０の外部に設けられた排紙積載部（不図示）に積載される。
なお、画像形成部１３では、帯電、露光、現像などのプロセスを経て、感光体ドラムや中間転写体等の像保持体にトナー像が形成される。そして、このトナー像は、転写装置により用紙Ｐに転写されるとともに、定着器により用紙Ｐに定着される。
【００１６】
第１給紙装置３０について詳細に説明する。なお、第２給紙装置４０は、第１給紙装置と同様に構成されている。
図２は、第１給紙装置３０の斜視図である。
第１給紙装置３０は、用紙Ｐが積載される積載部材３０１を備える。この積載部材３０１は、板状に形成され、水平方向に沿って延びるように配置されている。さらに、積載部材３０１は、積載される用紙Ｐを下方から支持する用紙支持面３０１Ａを有する。
【００１７】
また、第１給紙装置３０には、用紙支持面３０１Ａに沿って移動可能に設けられ、用紙支持面３０１Ａ上の用紙Ｐの側辺に突き当てられるサイドガイド３０２が設けられている。
突き当て部材の一例としてのこのサイドガイド３０２は、給紙方向と交差（直交）する方向に沿って移動可能に設けられ、用紙Ｐの側辺に突き当てられ、給紙方向と交差する方向における、用紙Ｐの位置を揃える。
また、図示は省略するが、第１給紙装置３０には、用紙支持面３０１Ａに沿って移動可能に設けられたエンドガイドが設けられている。エンドガイドは、給紙方向に沿って移動可能に設けられ、用紙Ｐの側辺（後端部）に突き当てられ、給紙方向における用紙Ｐの位置を揃える。
【００１８】
さらに、本実施形態では、積載部材３０１が上下方向に移動可能に設けられている。また、積載部材３０１を上下方向に移動させる移動機構３０３が設けられている。
移動機構３０３は、積載部材３０１を吊り下げて支持するワイヤ３０３Ａと、ワイヤ３０３Ａを巻き取る巻き取り部材３０３Ｂと、巻き取り部材３０３Ｂを回転させるモータ（不図示）とから構成されている。
本実施形態では、巻き取り部材３０３Ｂの一方向への回転、他方向への回転により、積載部材３０１が上下動する。
【００１９】
さらに、積載部材３０１の上方であって給紙方向における下流側には、給紙部３２が設けられている。給紙部３２の内部には、ピックアップロール３２１が設けられている。
さらに、図示は省略するが、給紙部３２の内部には、フィードロール３２２（図１参照）、リタードロール３２３、搬送ロール３２４が設けられている。
【００２０】
本実施形態では、ピックアップロール３２１が上下動可能に設置されている。
また、ピックアップロール３２１は、用紙Ｐが押し当てられていないときには、自重で、下方側へ移動している。
さらに、本実施形態では、ピックアップロール３２１の上方への移動を検知する検知センサＳ１（図１参照）が設けられている。
【００２１】
本実施形態では、移動機構３０３によって積載部材３０１が上方へ移動すると、積載部材３０１上の用紙Ｐも上方へ移動し、ピックアップロール３２１に対してこの用紙Ｐが押し当てられる。この押し当てにより、ピックアップロール３２１が上方へ変位し、予め定められた箇所にピックアップロール３２１が達すると、検知センサＳ１によりピックアップロール３２１が検知される。
【００２２】
そして、本実施形態では、検知センサＳ１によりピックアップロール３２１が検知されると、移動機構３０３が停止する。これにより、本実施形態では、積載部材３０１上の用紙Ｐの量（用紙束の厚み）に関わらず、用紙束の上面が、ピックアップロール３２１に押し当てられる。
ここで、ピックアップロール３２１および検知センサＳ１は、上方へ移動する用紙Ｐ（用紙束）を検知する検知部として捉えることができる。
【００２３】
また、本実施形態では、図２に示すように、第１給紙装置３０には、フロント側に、フロントカバー３３３が設けられている。このフロントカバー３３３には、ユーザ（操作者）による把持が行われる把持部３３３Ａが設けられている。
本実施形態では、この把持部３３３Ａがユーザにより把持され、図中右手前方向に向けてフロントカバー３３３が引っ張られることで、積載部材３０１等が露出する。これにより、積載部材３０１上への用紙Ｐの補充を行える。
なお、本実施形態では、積載部材３０１の全体が上下動する場合を一例に説明するが、給紙方向における下流側の端部のみ（ピックアップロール３２１が設置されている側の端部のみ）を上下動させる構成としてもよい。
【００２４】
図３は、第１給紙装置３０を上方から眺めた場合の図である。なお、この図３では、給紙部３２の図示を省略している。
第１給紙装置３０には、給紙方向に沿う第１側壁３４１、同じく給紙方向に沿いこの第１側壁３４１の対向位置に配置される第２側壁３４２、給紙方向と直交する方向に沿い給紙方向における下流側に位置する下流側側壁３４３が設けられている。
さらに、サイドガイド３０２と第２側壁３４２との間には、用紙Ｐの側辺が突き当てられ用紙Ｐの揃えを行う揃え用側壁３４４が設けられている。
【００２５】
本実施形態では、用紙Ｐは、サイドガイド３０２と揃え用側壁３４４との間に収容される。なお、揃え用側壁３４４は、着脱可能に設けられており、用紙Ｐのサイズ等によっては、第１給紙装置３０から取り外される。
揃え用側壁３４４が取り外されている場合、用紙Ｐの側辺は、第２側壁３４２に突き当てられる。
【００２６】
さらに、本実施形態では、積載部材３０１の用紙支持面３０１Ａに、用紙支持面３０１Ａの上方と下方とを通じさせる開口３０１Ｂが形成されている。
本実施形態では、サイドガイド３０２の根元の部分は、用紙支持面３０１Ａよりも下方に位置しており、サイドガイド３０２は、この開口３０１Ｂを通じて上方に向かって突出する。開口３０１Ｂの下方には、サイドガイド３０２の案内を行う案内部材３０１Ｃが設けられている。
【００２７】
さらに、本実施形態では、開口３０１Ｂを開閉可能に塞ぐ塞ぎ部材３０８（後述）が設けられている。この塞ぎ部材３０８は、サイドガイド３０２の図中矢印３Ａに示す方向への移動に伴い現れて開口３０１Ｂを塞ぐ。
また、第１給紙装置３０には、用紙支持面３０１Ａ上に設置され、用紙支持面３０１Ａ上の用紙Ｐの一部を持ち上げこの一部を上方へ変位させる第１変位部材４１０が設けられている。さらに、用紙支持面３０１Ａ上に設置され、用紙支持面３０１Ａ上の用紙Ｐの他の一部を上方へ変位させる第２変位部材４２０が設けられている。
【００２８】
第１変位部材４１０は、サイドガイド３０２に沿うように設けられている。言い換えると、第１変位部材４１０は、給紙方向に沿うように設けられている。また、第１変位部材４１０は、サイドガイド３０２に突き当てられて位置決めされている。また、第１変位部材４１０は、サイドガイド３０２の隣に配置されている。さらに、第１変位部材４１０は、サイドガイド３０２と第２側壁３４２との間に配置されている。
【００２９】
第２変位部材４２０は、下流側側壁３４３に沿うように設けられている。言い換えると、第２変位部材４２０は、給紙方向と直交する方向に沿うように設けられている。また、第２変位部材４２０は、下流側側壁３４３の隣に配置されている。さらに、第２変位部材４２０は、下流側側壁３４３および第２側壁３４２の両者に突き当てられている。
なお、本実施形態では、第１変位部材４１０と第２変位部材４２０との間に間隙が設けられた状態で、第１変位部材４１０および第２変位部材４２０の両者は設置されている。
【００３０】
また、本実施形態では、第１変位部材４１０は、一方向（給紙方向）に沿って延びるように配置され、第２変位部材４２０は、この一方向と交差（直交）する方向に延びるように配置され、これにより、第１変位部材４１０および第２変位部材４２０は、Ｌ字状に配置されている。
これにより、本実施形態では、ユーザは、第１変位部材４１０および第２変位部材４２０の設置位置を把握しやすくなり、第１変位部材４１０および第２変位部材４２０の設置誤りが減る。具体的には、本実施形態では、第１変位部材４１０および第２変位部材４２０は、着脱可能となっており、第１変位部材４１０、第２変位部材４２０の装着誤りが起きにくくなる。
【００３１】
また、図示は省略するが、用紙支持面３０１Ａには、第１変位部材４１０、第２変位部材４２０の設置位置を示すためのラベルが貼付されている。さらに、用紙支持面３０１Ａのうちの、第１変位部材４１０、第２変位部材４２０の設置箇所には、第１変位部材４１０、第２変位部材４２０の設置箇所を取り囲む線（第１変位部材４１０、第２変位部材４２０の輪郭形状を示す線（ケガキ線））が形成されている。これにより、ユーザは、第１変位部材４１０、第２変位部材４２０の設置箇所をより明確に把握しうる。
【００３２】
図４は、第１変位部材４１０を表面側から眺めた場合の斜視図である。図５は、第１変位部材４１０を裏面側から眺めた場合の斜視図である。
図４に示すように、第１変位部材４１０には、給紙方向（サイドガイド３０２）に沿って配置される直方体状の基体４１１が設けられている。さらに、この基体４１１の一端部および他端部の各々には、突出部４１２が設けられている。各突出部４１２は、基体４１１が延びる方向と直交する方向に向かって突出する。
本実施形態では、図３に示すように、第１給紙装置３０に対して第１変位部材４１０が設置されると、第１変位部材４１０が有する２つの上記突出部４１２の間にサイドガイド３０２が位置する。
【００３３】
また、図４に示すように、基体４１１の側壁４１１Ａ（基体４１１の長手方向に沿った側壁４１１Ａ）の下部には、切り欠き４１１Ｂが形成されている。本実施形態では、この切り欠き４１１Ｂを通じて、基体４１１の内部側に、ユーザの指が入れられる。
本実施形態では、第１給紙装置３０から第１変位部材４１０が取り外される際、この切り欠き４１１Ｂを通じて、基体４１１の内部に、ユーザの指が入れられる。そして、基体４１１の底面に指が掛けられて、第１変位部材４１０が取り外される。
本実施形態では、基体４１１の底面が指掛け部となっており、この指掛け部が設けられることで、第１給紙装置３０からの第１変位部材４１０の取り外しを行いやすくなる。
【００３４】
また、図５に示すように、第１変位部材４１０の底面には、磁石４１４が取り付けられている。具体的には、第１変位部材４１０が有する２つの突出部４１２の裏側に、磁石４１４が取り付けられている。本実施形態では、この磁石４１４によって（磁力によって）、図３に示したように、用紙支持面３０１Ａに対して第１変位部材４１０が固定される。
【００３５】
ここで、本実施形態では、図３に示すように、第１変位部材４１０は、用紙支持面３０１Ａのうちの開口３０１Ｂの周囲に位置する部分に対して固定される。用紙支持面３０１Ａのうちの開口３０１Ｂの周囲に位置する部分は、金属により形成されており、本実施形態では、この金属の部分に対し、磁力によって、第１変位部材４１０が固定される。
なお、本実施形態では、第１変位部材４１０に磁石４１４を設けたが、用紙支持面３０１Ａに磁石を設けてもよい。また、第１変位部材４１０、用紙支持面３０１Ａの両者に磁石を設けてもよい。
【００３６】
図６は、第２変位部材４２０を表面側から眺めた場合の斜視図である。図７は、第２変位部材４２０を裏面側から眺めた場合の斜視図である。
図６に示すように、第２変位部材４２０は、平板状且つ矩形状の基部４２１を備える。さらに、この基部４２１の上面から上方に向かって突出した突出部４２２を備える。
【００３７】
また、図７に示すように、第２変位部材４２０の側壁４２０Ａにも切り欠き４２０Ｂが形成され、この切り欠き４２０Ｂを通じて、第２変位部材４２０の内部側に、ユーザの指が入れられる。
本実施形態では、第１給紙装置３０から第２変位部材４２０が取り外される際、この切り欠き４２０Ｂを通じて、第２変位部材４２０の内部に、ユーザの指が入れられる。そして、第２変位部材４２０（の上面の裏側の部分）に指が掛けられ、第２変位部材４２０の取り外しが行われる。
本実施形態では、第２変位部材４２０の上面の裏側の部分が指掛け部となっており、この指掛け部があることで、第１給紙装置３０からの第２変位部材４２０の取り外しが行いやすくなる。
【００３８】
さらに、図７に示すように、第２変位部材４２０の底面には、磁石４２４が取り付けられている。具体的には、第２変位部材４２０のうちの、突出部４２２が設けられている端部とは反対側の端部に、磁石４２４が取り付けられている。
本実施形態では、この磁石４２４によって（磁力によって）、図３に示したように、用紙支持面３０１Ａに対して第２変位部材４２０が固定される。用紙支持面３０１Ａは金属により形成され、本実施形態では、用紙支持面３０１Ａに対し、磁力によって、第２変位部材４２０が固定される。
なお、上記と同様、本実施形態では、第２変位部材４２０に磁石４２４を設けたが、用紙支持面３０１Ａに磁石を設けてもよい。また、第２変位部材４２０、用紙支持面３０１Ａの両者に磁石を設けてもよい。
【００３９】
ここで、本実施形態では、第１変位部材４１０のうちの磁石４１４（図５参照）が設けられている部分が、被固定部となっており、この被固定部が、用紙支持面３０１Ａに対して固定される。また、第２変位部材４２０のうちの磁石４２４（図７参照）が設けられている部分が、被固定部となっており、この被固定部が、用紙支持面３０１Ａに対して固定される。
さらに、本実施形態では、第１変位部材４１０、第２変位部材４２０の上面が支持部として機能し、第１変位部材４１０、第２変位部材４２０は、この上面で、用紙Ｐを下方から支持する（詳細は後述）。
【００４０】
図８（Ａ）、（Ｂ）は、図３の矢印ＶＩＩＩ方向から第１変位部材４１０、第２変位部材４２０を眺めた場合の図である。
本実施形態では、図８（Ａ）に示すように、第２変位部材４２０の突出部４２２の上面４２２Ａの方が、第１変位部材４１０の上面４１０Ｅよりも上方に位置している。
言い換えると、本実施形態では、第２変位部材４２０の突出部４２２の上面４２２Ａ、および、第１変位部材４１０の上面４１０Ｅが、用紙Ｐを下方から支持する用紙支持部分となるが、第２変位部材４２０の用紙支持部分の方が、第１変位部材４１０の用紙支持部分よりも上方に位置する。
【００４１】
なお、本実施形態では、このように、第２変位部材４２０の用紙支持部分の方を、第１変位部材４１０の用紙支持部分よりも上方に位置させたが、図８（Ｂ）に示すように、第２変位部材４２０の用紙支持部分（突出部４２２の上面４２２Ａ）の高さ方向における位置と、第１変位部材４１０の用紙支持部分（上面４１０Ｅ）の高さ方向における位置とを一致させてもよい（揃えてもよい）。
【００４２】
図９は、サイドガイド３０２を第１側壁３４１側に移動させた状態の第１給紙装置３０を示した図である。なお、図９では、第１給紙装置３０を上方から眺めた場合の状態を示している。
本実施形態では、サイドガイド３０２を第１側壁３４１側に移動させると、図９に示すように、塞ぎ部材３０８が現れ、用紙支持面３０１Ａに形成された開口３０１Ｂが塞がれる。
【００４３】
図３に示すように、サイドガイド３０２が第２側壁３４２側に位置する状態では、塞ぎ部材３０８は、用紙支持面３０１Ａの下方に退避している。
一方、図９に示すように、サイドガイド３０２が第１側壁３４１側に移動すると、サイドガイド３０２により塞ぎ部材３０８が引っ張られて塞ぎ部材３０８が現れ、開口３０１Ｂが塞がれる。
【００４４】
ここで、本実施形態では、第１変位部材４１０は、図９の符号９Ａで示す部位に対して固定される。言い換えると、第１変位部材４１０は、用紙支持面３０１Ａのうちの、開口３０１Ｂの周囲に位置する部位に対して固定される。本実施形態では、符号９Ａで示す箇所が、第１変位部材４１０の被取り付け部（第１の被取り付け部）となっており、この被取り付け部に、第１変位部材４１０が固定される。
付言すると、本実施形態では、サイドガイド３０２の位置や用紙Ｐのサイズに応じて、第１変位部材４１０の設置位置が変更されることもあり、本実施形態では、符号９Ａで示す箇所の何れかに第１変位部材４１０が固定される。
【００４５】
本実施形態では、このように、第１変位部材４１０は開口３０１Ｂの周囲に位置する部位に対して固定される。これにより、第１給紙装置３０に対する第１変位部材４１０の固定が安定的になされる。
ここで、例えば、第１変位部材４１０を塞ぎ部材３０８に対して固定する構造であると、サイドガイド３０２を移動させた際に、第１変位部材４１０の位置ずれが起きやすくなる。
【００４６】
また、本実施形態では、図９にて符号９Ｂで示す部分が、第２変位部材４２０が取り付けられる被取り付け部（第２の被取り付け部）となっており、本実施形態では、この符号９Ｂで示す被取り付け部に、第２変位部材４２０が固定される。
第２変位部材４２０が取り付けられるこの被取り付け部は、検知部として機能するピックアップロール３２１（図２参照）、検知センサＳ１（図１参照）の直下に位置する。
【００４７】
図１０は、図２の矢印Ｘ方向から第１給紙装置３０を眺めた場合の図である。なお、この図１０では、用紙Ｐの一例としての封筒が、第１給紙装置３０に積載された状態を示している。また、図１０では、第１側壁３４１等の図示を省略している。
また、図１１は、第１給紙装置３０に積載される封筒の構造を示した図である。
【００４８】
図１１に示すように、一般的に、封筒には、開口を塞ぐフラップＦが設けられ、封筒の厚みは部分的に異なるようになる。
このような封筒を第１給紙装置３０に積載すると、図１０に示すように、封筒束の厚みが封筒束の部位によって異なるようになる。この例では、封筒束のうちの図中右側の部位が厚く、逆に、封筒束の図中左側の部位が薄くなる。そして、この場合、封筒束の上面が傾斜する。
【００４９】
封筒束の上面が傾斜すると、ピックアップロール３２１が封筒束に対して片当たりしやすくなり、封筒が真っ直ぐに送り出されにくくなる。
言い換えると、封筒束の上面が傾斜すると、ピックアップロール３２１の軸方向における一端と封筒との接触圧と、ピックアップロール３２１の軸方向における他端と封筒との接触圧とが異なるようになり、本来の給紙方向とは異なる方向へ封筒が送り出されやすくなる。
【００５０】
図１２は、第１変位部材４１０を設置した状態の第１給紙装置３０を示した図である。
図１２に示す状態では、第１変位部材４１０が設けられる結果、封筒束のうちの厚さが小さい部分が上方に持ち上げられ、この厚さが小さい部分が上方に変位する。
これにより、図１２に示すように、封筒束の上面は水平に近くなり、ピックアップロール３２１による封筒の送り出しが安定的になされるようになる。
【００５１】
ここで、封筒束の厚みが大きい場合（封筒束を構成する封筒の枚数が多い場合）には、第１変位部材４１０を設置することで、上記のように、封筒束の上面を水平に近づけられる。
これに対し、封筒束の厚みが小さい場合（枚数が少ない場合）には、第１変位部材４１０が設置されていると、図１３（封筒が少ない場合の第１給紙装置３０の状態を示した図）に示すように、封筒束の上面が傾斜してしまう。
【００５２】
かかる場合、ピックアップロール３２１による封筒の送り出しが不安定となる。
また、この場合、図１３にて符号１３Ａで示す部分がピックアップロール３２１に突き当たり、この部分（以下、「被検知部分」）が検知センサＳ１（図１参照）により検知されるが、図１３に示すように、封筒束が傾斜すると、封筒束の他の一部（符号１３Ｂで示す部分）が被検知部分よりも上方に位置する。
かかる場合、被検知部分が検知センサＳ１により検知される前に、この上方に位置する部分（符号１３Ｂで示す部分）が、第１給紙装置３０の天井などに接触し、第１給紙装置３０の損傷や用紙Ｐの損傷などを招くおそれがある。
【００５３】
これに対し、本実施形態の構成では、図１４（第１変位部材４１０、第２変位部材４２０を設置した状態の第１給紙装置３０を示した図）に示すように、検知部の一部として機能するピックアップロール３２１の直下に、第２変位部材４２０が設置され、封筒束の検被知部分（符号１４Ａで示す部分）が上方に変位する。
これにより、被検知部分が検知センサＳ１により検知される前に、被検知部分以外の他の部分が第１給紙装置３０の天井などに接触することが抑制され、第１給紙装置３０の損傷や用紙Ｐの損傷などが抑えられる。
【００５４】
なお、本実施形態の第１変位部材４１０、第２変位部材４２０は、第１給紙装置３０に対して着脱可能となっており、普通紙の搬送を行う場合には、ユーザによって第１給紙装置３０から取り外される。
普通紙の場合、用紙Ｐの厚みはほぼ一定であり、第１変位部材４１０、第２変位部材４２０を設置したままだと、逆に用紙束の上面が傾斜してしまう。このため、普通紙などの給紙を行う場合は、第１給紙装置３０から第１変位部材４１０、第２変位部材４２０が取り外される。
【００５５】
また、第１変位部材４１０、第２変位部材４２０の位置を変更する際には、用紙支持面３０１Ａ（図３参照）に沿って第１変位部材４１０、第２変位部材４２０を移動させ、あるいは、用紙支持面３０１Ａから第１変位部材４１０、第２変位部材４２０を一旦外したうえで、用紙支持面３０１Ａに対して第１変位部材４１０、第２変位部材４２０を再び設置する。
【００５６】
ここで、用紙支持面３０１Ａへの第１変位部材４１０、第２変位部材４２０への固定は、ねじなどの締結部材を用いて行ってもよいが、この場合、第１変位部材４１０、第２変位部材４２０を移動させる際に手間を要する。
これに対し、本実施形態では、磁力を用いて第１変位部材４１０、第２変位部材４２０の固定を行っており、第１変位部材４１０、第２変位部材４２０の移動をより簡易に行える。
【００５７】
付言すると、封筒のサイズによっては、サイドガイド３０２、第１変位部材４１０を移動させる必要が生じ、この場合に、締結部材が用いられて第１変位部材４１０が固定されていると、締結を解除する必要が生じて手間を要する。
これに対し、本実施形態のように、磁力を用いて第１変位部材４１０、第２変位部材４２０の固定を行っていると、締結の解除が不要となり、第１変位部材４１０、第２変位部材４２０の移動をより簡易に行える。
【００５８】
図１５（Ａ）、（Ｂ）は、第１給紙装置３０の他の構成例を示した図である。なお、図１５では、サイドガイド３０２、第１変位部材４１０のみを図示している。また、図１５は、サイドガイド３０２、第１変位部材４１０を上方から眺めた場合の状態を示している。
図１５（Ａ）に示すように、この構成例では、サイドガイド３０２に対して第１変位部材４１０が固定され、サイドガイド３０２に連動して第１変位部材４１０が移動する。
具体的には、サイドガイド３０２は、図中上下方向に移動するが、この上下方向への移動に連動して、第１変位部材４１０も上下方向に移動する。
【００５９】
これにより、サイドガイド３０２をスライド移動させることで、第１変位部材４１０も移動するようになり、第１変位部材４１０を直接操作して第１変位部材４１０を移動させる場合に比べ、第１変位部材４１０の移動を行いやすくなる。
また、この構成例では、サイドガイド３０２に対して第１変位部材４１０が固定され、第１変位部材４１０の位置ずれも起きにくくなる。
【００６０】
図１５（Ａ）に示すように、第１変位部材４１０には、第１変位部材４１０の両端に設けられた突出部４１２のそれぞれに、被固定部４１９が設けられており、この被固定部４１９が、サイドガイド３０２（の長手方向の両端部）に対して固定される。
また、本実施形態では、符号１５Ａで示す部分（第１変位部材４１０の上面）が、支持部として機能し、この支持部で、用紙Ｐを下方から支持する（用紙Ｐを下方から持ち上げる）。
【００６１】
図１５（Ａ）に示すように、被固定部４１９は、弾性片４１９Ａとこの弾性片４１９Ａの側面から突出した突出部４１９Ｂとを備え、本実施形態では、突出部４１９Ｂがサイドガイド３０２の裏面に引っ掛かることで、サイドガイド３０２に対し第１変位部材４１０が固定される。なお、サイドガイド３０２からの第１変位部材４１０の取り外しは、図１５（Ｂ）に示すように、サイドガイド３０２から離れる方向に第１変位部材４１０を引っ張ることで行う。
【００６２】
図１６は、第１給紙装置３０の他の構成例を示した図であって、図３の矢印ＸＶＩ方向からサイドガイド３０２および第１変位部材４１０を眺めた場合の図である。
この構成例においても、第１変位部材４１０の両端に設けられた突出部４１２のそれぞれに、被固定部４１９が設けられており、この被固定部４１９が、サイドガイド３０２（の長手方向の両端部）に対して固定される。
【００６３】
ここで、サイドガイド３０２の長手方向における両端部には、サイドガイド３０２の側壁３０２Ｅから突出した突出部３０２Ｆが設けられている。一方で、第１変位部材４１０の被固定部４１９には、図中下端部が開放された溝４１９Ｅが形成されている。
本実施形態では、この溝４１９Ｅに対して突出部３０２Ｆが入れられることで、サイドガイド３０２への第１変位部材４１０の固定が行われる。
この構成例でも、上記と同様、サイドガイド３０２に連動して第１変位部材４１０が移動する。
なお、サイドガイド３０２からの第１変位部材４１０の取り外しは、図中上方へ第１変位部材４１０を移動させることで行う。
【００６４】
ここで、図１５、１６にて示した被固定部４１９は、磁石４１４を有した第１変位部材４１０（図５参照）に対して追加で設けるようにしてもよい。言い換えると、第１変位部材４１０には、被固定部４１９および磁石４１４の両者を設置してもよい。
また、第１変位部材４１０では、磁石４１４に換えて、被固定部４１９のみを設けるようしてもよい。
【００６５】
図１７は、第１給紙装置３０の他の構成例である。なお、図１７は、第１給紙装置３０の上面図である。
この構成例では、第１変位部材４１０と第２変位部材４２０との間に、弾性部材の一例としてのばね５００が設けられ、このばね５００によって、サイドガイド３０２に対して第１変位部材４１０が押し当てられ、第２側壁３４２に対して第２変位部材４２０が押し当てられている。これにより、予め定められた位置に、第１変位部材４１０、第２変位部材４２０が配置されるようになる。また、この構成例では、第１変位部材４１０、第２変位部材４２０の位置ずれが起きにくくなる。
【００６６】
ここで、第１変位部材４１０、第２変位部材４２０は、ユーザによって第１給紙装置３０に設置されるが、設置誤り等によって、第１変位部材４１０、第２変位部材４２０が本来の位置からずれた状態で設置されることが起こりうる。
本実施形態のようにばね５００を設け、第１変位部材４１０、第２変位部材４２０を予め定められた箇所に突き当てると、予め定められた設置位置に、第１変位部材４１０、第２変位部材４２０が設置される可能性が高まる。
【００６７】
なお、ばね５００は、第１変位部材４１０、第２変位部材４２０に磁石が設けられた構成例（図４〜７にて示した構成例）において、第１変位部材４１０と第２変位部材４２０との間に設置してもよいし、第１変位部材４１０に被固定部４１９が設けられた構成例（図１５、１６にて示した構成例）において、第１変位部材４１０と第２変位部材４２０との間に設置してもよい。
【００６８】
図１８は、第１変位部材４１０の他の構成例を示した図である。なお、図１８は、第１変位部材４１０等を上方から眺めた場合の状態を示している。
この構成例では、第１変位部材４１０の底面（下面、用紙支持面３０１Ａに接触する部分）に、複数本のリブ４１８を形成している。より具体的には、サイドガイド３０２の移動方向に沿って延びるリブ４１８を形成している。
【００６９】
本実施形態では、第１変位部材４１０の移動の際に、第１変位部材４１０をスライド移動させることがある。この場合に、第１変位部材４１０の底面にリブ４１８が形成されていると、用紙支持面３０１Ａと第１変位部材４１０との間の摺動抵抗が減り、第１変位部材４１０を移動しやすくなる。
【００７０】
なお、上記のばね５００の場合と同様、リブ４１８は、第１変位部材４１０、第２変位部材４２０に磁石が設けられた構成例（図４〜７にて示した構成例）において、第１変位部材４１０に設けてもよい。また、第１変位部材４１０に被固定部４１９が設けられた構成例（図１５、１６にて示した構成例）において、第１変位部材４１０にリブ４１８を設けてもよい。
【符号の説明】
【００７１】
１…画像形成装置、１３…画像形成部、３０…第１給紙装置、３０１…積載部材、３０１Ａ…用紙支持面、３０１Ｂ…開口、３０２…サイドガイド、３０８…塞ぎ部材、３２１…ピックアップロール、４１０…第１変位部材、４１８…リブ、４２０…第２変位部材、５００…ばね、Ｓ１…検知センサ
【図１】
0006747009.tif 000002
【図２】
0006747009.tif 000003
【図３】
0006747009.tif 000004
【図４】
0006747009.tif 000005
【図５】
0006747009.tif 000006
【図６】
0006747009.tif 000007
【図７】
0006747009.tif 000008
【図８】
0006747009.tif 000009
【図９】
0006747009.tif 000010
【図１０】
0006747009.tif 000011
【図１１】
0006747009.tif 000012
【図１２】
0006747009.tif 000013
【図１３】
0006747009.tif 000014
【図１４】
0006747009.tif 000015
【図１５】
0006747009.tif 000016
【図１６】
0006747009.tif 000017
【図１７】
0006747009.tif 000018
【図１８】
0006747009.tif 000019